(57)【要約】【課題】ユーザーが意図した通りに複写不要なページを除外して原稿を複写することができる画像形成装置を提供する。【解決手段】操作を案内するための表示を行う表示器４７３と、操作指示を受付けるための操作キー４７１等と、表示器４７３に操作案内を表示させると共に操作キー４７２等を介して複写を除外するページを指定するためのページ指定指示を受付けるページ指定受付部１２と、ページ指定受付部１２によってページ指定指示が受付けられた場合、このページ指定指示により指定されたページ以外の原稿から取得した画像を複写するべく画像メモリ８、ＨＤＤ９、記録部４０等の動作を制御する複写制御部１１とを備えた。【選択図】図２
2004186784.tif 000002
【特許請求の範囲】
【請求項１】
複数ページの原稿から取得した画像を記録紙に複写する画像形成装置であって、
操作を案内するための表示を行う表示手段と、
操作指示を受付けるための操作手段と、
前記表示手段に操作案内を表示させると共に前記操作手段を介して前記原稿に対して複写を除外するページを指定するためのページ指定指示を受付けるページ指定受付手段と、
前記ページ指定受付手段によって前記ページ指定指示が受付けられた場合、前記ページ指定指示により指定されたページ以外の原稿から取得した画像を複写する複写手段とを備えたことを特徴とする画像形成装置。
【請求項２】
前記ページ指定受付手段は、前記複数ページの原稿から取得した画像を表わす画像データをページ毎に記憶する記憶手段と、
前記記憶手段により記憶された画像データを、前記表示手段によりページ毎に選択可能に画像表示させる選択表示制御手段と、
前記表示手段により表示された画像を選択するための画像選択指示を前記操作手段を介して受付ける画像選択手段とを備え、
前記ページ指定受付手段は、前記画像選択指示により選択指示された画像を、前記複写を除外するページとする前記ページ指定指示を受付けることを特徴とする請求項１記載の画像形成装置。
【請求項３】
前記選択表示制御手段は、前記記憶手段によって記憶された原稿の各ページの画像データを一覧にして前記表示手段に画像表示させ、
前記画像選択手段は、この一覧にして表示された画像の中から所定の画像を選択する指示を、前記操作手段を介して前記画像選択指示として受付けることを特徴とする請求項２記載の画像形成装置。
【請求項４】
前記選択表示制御手段は、前記記憶手段によって記憶された画像データのページを指定するためのページ番号の入力を前記操作手段を介して受付けると共に、このページ番号で指定されたページの画像データを前記表示手段により画像表示させ、
前記画像選択手段は、前記表示手段により画像表示されたページの画像を選択する指示を、前記操作手段を介して前記画像選択指示として受付けることを特徴とする請求項２記載の画像形成装置。
【発明の詳細な説明】
【０００１】
【発明の属する技術分野】
本発明は、原稿の画像を複写する画像形成装置に関するものである。
【０００２】
【従来の技術】
従来、表裏両面に画像が形成された両面原稿を複写する場合に、原稿の表裏を反転させる反転機構を備えた自動原稿給送装置を用いて一枚ずつ原稿を画像読み取り位置に搬送し、１ページ分の画像データを取得すると共に、さらにこの原稿を反転させて裏面に形成された１ページ分の画像データを取得し、このようにして原稿の表裏両面から取得した２ページ分の画像データを２枚の記録紙の片面に１ページずつ複写する両面から片面への分割コピーモードを備えた画像形成装置が知られている。
【０００３】
また、本の見開き原稿を複写する場合に、本の見開きの２ページ分の画像データを２枚の記録紙の片面に１ページずつ複写するブック原稿分割コピーモードを備えた画像形成装置も知られている。
【０００４】
ところが、両面原稿の中に片面原稿が混在している場合や本の見開き原稿の片側ページが白紙である場合に、このような分割コピーモードにより原稿を複写すると、片面原稿の裏側や本の見開き原稿の白紙ページ等の画像が形成されていないページが複写され、用紙の無駄が生じるという問題があった。そこで、複写が不要な原稿の白紙ページを、例えば原稿から読み取った画像データの情報量を基準値と比較することにより検出し、その白紙ページについては複写を行わないようにする画像形成装置が知られている（例えば、特許文献１参照。）。
【０００５】
【特許文献１】
特開２０００−２７８４８４号公報
【０００６】
【発明が解決しようとする課題】
しかし、原稿から読み取った画像データの情報量から白紙ページを検出する場合、原稿の汚れや原稿の用紙の色等と、原稿に形成された画像とを判別することが難しく、そのため複写が不要なページをユーザーが意図した通りに除外して複写を行うことが困難であるという不都合があった。
【０００７】
本発明は上記事情に鑑みてなされたもので、ユーザーが意図した通りに複写不要なページを除外して原稿を複写することができる画像形成装置を提供することを目的とする。
【０００８】
【課題を解決するための手段】
請求項１に記載の発明は、複数ページの原稿から取得した画像を記録紙に複写する画像形成装置であって、操作を案内するための表示を行う表示手段と、操作指示を受付けるための操作手段と、前記表示手段に操作案内を表示させると共に前記操作手段を介して前記原稿に対して複写を除外するページを指定するためのページ指定指示を受付けるページ指定受付手段と、前記ページ指定受付手段によって前記ページ指定指示が受付けられた場合、前記ページ指定指示により指定されたページ以外の原稿から取得した画像を複写する複写手段とを備えたことを特徴としている。
【０００９】
請求項１に記載の発明によれば、表示手段によって操作案内が表示され、ページ指定受付手段によって前記原稿に対して複写を除外するページを指定するためのページ指定指示が受付けられ、このページ指定指示により指定されたページ以外の原稿が複写される。
【００１０】
請求項２に記載の発明は、請求項１に記載の画像形成装置において、前記ページ指定受付手段は、前記複数ページの原稿から取得した画像を表わす画像データをページ毎に記憶する記憶手段と、前記記憶手段により記憶された画像データを、前記表示手段によりページ毎に選択可能に画像表示させる選択表示制御手段と、前記表示手段により表示された画像を選択するための画像選択指示を前記操作手段を介して受付ける画像選択手段とを備え、前記ページ指定受付手段は、前記画像選択指示により選択指示された画像を、前記複写を除外するページとする前記ページ指定指示を受付けることを特徴としている。
【００１１】
請求項２に記載の発明によれば、記憶手段によって、複数ページの原稿から取得した画像を表わす画像データがページ毎に記憶され、記憶手段により記憶された画像データは、表示手段によりページ毎に選択可能に画像表示される。そして、画像選択指示により選択指示された画像のページが前記ページ指定指示として受付けられる。この場合、ユーザーは、原稿から取得した画像に基づいて、複写を除外するページを指定することが可能になる。
【００１２】
請求項３に記載の発明は、請求項２に記載の画像形成装置において、前記選択表示制御手段は、前記記憶手段によって記憶された原稿の各ページの画像データを一覧にして前記表示手段に画像表示させ、前記画像選択手段は、この一覧にして表示された画像の中から所定の画像を選択する指示を、前記操作手段を介して前記画像選択指示として受付けることを特徴としている。
【００１３】
請求項３に記載の発明によれば、記憶手段によって記憶された原稿の各ページの画像データが一覧にして表示手段に画像表示され、この一覧にして表示された画像の中から所定の画像を選択する指示が、画像選択手段によって、前記画像選択指示として受付けられる。この場合、ユーザーは、表示手段に一覧にして画像表示された原稿の画像を見ながら複写を除外するページを指定することが可能になる。
【００１４】
請求項４に記載の発明は、請求項２記載の画像形成装置において、前記選択表示制御手段は、前記記憶手段によって記憶された画像データのページを指定するためのページ番号の入力を前記操作手段を介して受付けると共に、このページ番号で指定されたページの画像データを前記表示手段により画像表示させ、前記画像選択手段は、前記表示手段により画像表示されたページの画像を選択する指示を、前記操作手段を介して前記画像選択指示として受付けることを特徴としている。
【００１５】
請求項４に記載の発明によれば、記憶手段によって記憶された画像データのページを指定するためのページ番号が、選択表示制御手段によって受付けられ、このページ番号で指定されたページの画像データが表示手段により画像表示される。そして、この画像表示されたページの画像を選択する指示が、画像選択手段によって、前記画像選択指示として受付けられる。この場合、ページ番号で指定されたページの画像のみが表示手段で表示されるので、指定されたページの画像を大きく表示することが可能となる。
【００１６】
【発明の実施の形態】
（第１実施形態）
以下、本発明に係る実施形態を図面に基づいて説明する。図１は、本発明の一実施形態に係る画像形成装置の一例である複写機１の内部構成を概略的に示す断面図である。
【００１７】
複写機１は、本体部２と、本体部２の左方に配設されたスタックトレイ３と、本体部２の上部に配設された原稿読取部５と、原稿読取部５の上方に配設された原稿給送部６とを有している。また、複写機１のフロント部には、ユーザが印刷実行指示を入力するためのスタートキー４７１と、印刷部数等を入力するためのテンキー４７２と、分割コピーモード等の各種複写動作の設定等を入力するための操作ガイド情報等を表示する液晶表示器等からなる表示器４７３と、表示器４７３に表示された情報を選択するためのカーソルを上に移動させるための上カーソルキー４７４と、このカーソルを下に移動させるための下カーソルキー４７５と、分割コピーモード等のモード選択指示を入力するためのモードキー４７６と、操作指示入力を確定するためのＯＫキー４７７とを備えた操作パネル４７が設けられている。
【００１８】
原稿読取部５は、ＣＣＤ（Ｃｈａｒｇｅ  Ｃｏｕｐｌｅｄ  Ｄｅｖｉｃｅ）センサ及び露光ランプ等からなるスキャナ５１と、ガラス等の透明部材により構成された原稿台５２及び原稿読取スリット５３とを備える。スキャナ５１は、図略の駆動部によって移動可能に構成され、原稿台５２に載置された原稿を読み取るときは、原稿台５２に対向する位置に移動され、原稿画像を走査しつつ取得した画像データを後述する制御部１０へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを制御部１０へ出力する。
【００１９】
原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３を備える。原稿搬送機構６３は、さらに原稿を表裏反転させて原稿読取スリット５３と対向する位置へ搬送する用紙反転機構（図略）を備え、原稿の両面の画像を原稿読取スリット５３を介してスキャナ５１から読取可能にしている。
【００２０】
また、原稿給送部６は、可倒式に構成されており、原稿台５２上面を開放するように上方に持ち上げることにより、原稿台５２の上面に読み取り原稿、例えば見開き状態にされた書籍等を載置することが可能にされている。
【００２１】
本体部２は、それぞれサイズが異なる記録紙を収納する複数の給紙カセット４６１と、給紙カセット４６１から記録紙を１枚ずつ繰り出して記録部４０へ搬送する給紙ローラ４６２と、給紙カセット４６１から搬送されてきた記録紙に画像を形成する記録部４０とを備える。
【００２２】
記録部４０は、スキャナ５１で取得された画像データに基づきレーザー光を出力して感光体ドラム４３を露光する光学ユニット４２と、感光体ドラム４３上にトナー像を形成する画像形成部４４と、感光体ドラム４３上のトナー像を記録紙に転写する転写部４１と、トナー像が転写された記録紙を加熱してトナー像を記録紙に定着させる定着部４５と、記録部４０内の用紙搬送路中に設けられた搬送ローラ等により記録紙を搬送し、その記録紙をスタックトレイ３又は排出トレイ４８へ排出する用紙搬送装置４６とを備える。
【００２３】
図２は、図１に示す複写機１の概略構成の一例を示すブロック図である。画像メモリ８は、スキャナ５１によって読み取られた原稿画像のデータが一時的に記憶されるメモリである。ＨＤＤ（Ｈａｒｄ  Ｄｉｓｋ  Ｄｒｉｖｅ）９は、スキャナ５１によって読み取られた原稿画像のデータがページ毎にそのページ番号と関連付けられて記憶される記憶装置である。
【００２４】
制御部１０は、装置全体の動作を司るもので、例えば複写機１の制御プログラムを記憶するＲＯＭ（Ｒｅａｄ  Ｏｎｌｙ  Ｍｅｍｏｌｙ）や、一時的にデータを保管するＲＡＭ（Ｒａｎｄｏｍ  Ａｃｃｅｓｓ  Ｍｅｍｏｒｙ）、及び制御プログラムをＲＯＭから読み出して実行するマイクロコンピュータ等から構成される。そして、複写動作を制御するためのプログラムを実行することにより複写制御部１１として機能する。この場合、操作パネル４７によって受付けられた指示入力に応じて、画像メモリ８、ＨＤＤ９、スキャナ５１、原稿搬送機構６３、記録部４０、及び操作パネル４７の各部の動作を制御するための制御信号を出力することにより、複写機１に所定の複写動作を行わせる。
【００２５】
また、制御部１０は、分割コピーモードでの動作制御を行う場合、複写しないページの指示を受付けるための制御を行うページ指定受付部１２、及びページ指定受付部１２で受付けられた原稿のページを記憶する指定ページ記憶部１２１としても機能する。
【００２６】
次に、上記のように構成された複写機１による複写動作について説明する。図３、図４は、図２に示す複写機１の動作の一例を説明するためのフローチャートである。説明のため、原稿載置部６１には、図５に示す両面原稿が載置されているものとする。図５に示す両面原稿は、１枚目の表面（１ページ）に画像Ａ、１枚目の裏面（２ページ）に画像Ｂ、２枚目の表面（３ページ）に画像Ｃ、２枚目の裏面（４ページ）に画像Ｄ、３枚目の表面（５ページ）に画像Ｅ、３枚目の裏面（６ページ）は白紙、以下４枚目と５枚目の７〜１０ページに順にＦ，Ｇ，Ｈ，Ｉの画像が形成されている。
【００２７】
まず、ステップＳ１０１において、ユーザーによりモードキー４７６が押下されたことが制御部１０によって受付けられると、制御部１０から表示器４７３へモードを選択するための画面を表示させるデータが出力され、表示器４７３によって、図６に示すモード選択画面が表示され、選択可能なモードの一覧リストが表示される。次に、ユーザーにより下カーソルキー４７５が押下されたことが制御部１０によって受付けられると、図７に示すように、一覧リストのモードを指示するカーソル５０１が下方向に移動表示され、一覧リストの下側に表示されていた分割モードが指示される。そして、ユーザーによりＯＫキー４７７が押下されたことが制御部１０によって受付けられると、分割コピーモードが選択されると共にステップＳ１０２へ移行する。
【００２８】
次に、ステップＳ１０２において、制御部１０から表示器４７３へ分割コピーの種類を選択する画面を表示させるためのデータが出力され、表示器４７３によって、図８に示す種類選択画面が表示され、両面から片面への分割コピーモードと、ブック原稿分割コピーモードとが選択可能にされる。そして、両面から片面への分割コピーモードがカーソル５０１によって指示されている状態でＯＫキー４７７が押下されたことが制御部１０によって受付けられると、両面から片面への分割コピーモードが選択されると共にステップＳ１０３へ移行する。
【００２９】
次に、ステップＳ１０３において、制御部１０から表示器４７３へ原稿編集の設定画面を表示させるためのデータが出力され、表示器４７３によって、図９に示す原稿編集設定画面が表示される。そして、原稿編集を”しない”がカーソル５０１によって指示されている状態でユーザーによりＯＫキー４７７が押下されたことが制御部１０によって受付けられると、通常の複写動作を行うべくステップＳ１０９へ移行し、一方、原稿編集を”する”がカーソル５０１によって指示されている状態でＯＫキー４７７が押下されたことが制御部１０によって受付けられると、複写除外ページの指定を受付けるべくステップＳ１０４へ移行する。
【００３０】
次に、ステップＳ１０４において、ページ指定受付部１２から表示器４７３へ複写除外ページの設定画面を表示させるためのデータが出力され、表示器４７３によって図１０に示す複写除外ページ指定画面が表示される。そして、ステップＳ１０５において、原稿のページを指示するためのテンキー４７２の”６”のキーがユーザーにより押下されたことがページ指定受付部１２によって受付けられ、その指示されたページ番号”６”が表示器４７３の右下方に表示される（図１１参照）。
【００３１】
さらに、ステップＳ１０６において、ユーザーにより下カーソルキー４７５が押下されたことがページ指定受付部１２によって受付けられると、図１２に示すようにカーソル５０１が下方向に移動表示され、”コピーしない”が指示される。そして、この状態でＯＫキー４７７が押下されたことがページ指定受付部１２によって受付けられると（ステップＳ１０６でＹＥＳ）、”コピーしない”が設定されたことを示すべく、”コピーしない”が白黒反転した白抜きで文字表示され（図１３参照）、ステップＳ１０７へ移行する。
【００３２】
次に、ステップＳ１０７において、ステップ１０５で受付けられた原稿のページ、例えば”６”が、コピー対象外の原稿を指定するコピー対象外指定ページ番号として、指定ページ記憶部１２１に記憶される。そして、”設定終了”がカーソル５０１によって指示されている状態（図１４参照）でユーザーによりＯＫキー４７７が押下されたことがページ指定受付部１２によって受付けられると、複写除外ページの指定処理を終了してステップＳ１０９へ移行し（ステップＳ１０８でＹＥＳ）、一方、テンキー４７２が押下されたことがページ指定受付部１２によって受付けられると（ステップＳ１０８でＮＯ）、新たな複写除外ページの指定を受付けるべくステップＳ１０５へ移行し、ステップＳ１０６〜Ｓ１０８の処理が再び実行される。
【００３３】
次に、ステップＳ１０９において、複写制御部１１から表示器４７３へ複写部数の設定画面を表示させるためのデータが出力され、表示器４７３によって図１５に示す複写部数設定画面が表示される。そして、ユーザーによりテンキー４７２が押下されることにより、そのテンキー４７２で示される数字が複写部数設定値として複写制御部１１によって受付けられると共に記憶される。そして、ユーザーによりスタートキー４７１が押下されたことが複写制御部１１によって受付けられると、原稿画像の読み取りを開始すべくステップＳ１１０へ移行する。
【００３４】
次に、ステップＳ１１０において、複写制御部１１により、ページをカウントするための変数ｉに１が代入される。そして、複写制御部１１により、ｉページが指定ページ記憶部１２１に記憶されているコピー対象外指定ページ番号であるか否かが判断され、指定ページである場合（ステップＳ１１１でＹＥＳ）にはステップＳ１１２に移行して、複写制御部１１から原稿搬送機構６３へ原稿を１ページ搬送させるための制御信号が出力され、原稿搬送機構６３により原稿が１ページ分、画像読み取り動作を行うことなく搬送される。
【００３５】
この場合、ｉページが原稿の表面であった場合は、原稿搬送機構６３の用紙反転機構によって原稿が表裏反転されることにより原稿のページが１ページ進められ、ｉページが原稿の裏面であった場合には、その原稿は原稿搬送機構６３によって原稿排出部６２に排出される。
【００３６】
一方、ｉページが指定ページ記憶部１２１に記憶されているコピー対象外指定ページ番号ではない場合（ステップＳ１１１でＮＯ）は、ステップＳ１１３に移行し、複写制御部１１から原稿搬送機構６３へ原稿を１ページ搬送させるための制御信号が出力され、ｉページが原稿の表面であった場合は原稿搬送機構６３によって原稿載置部６１から１枚ずつ繰り出された原稿が原稿読取スリット５３に対向する位置へ搬送され、一方、ｉページが原稿の裏面であった場合は、原稿が表裏反転された後、原稿読取スリット５３に対向する位置へ搬送される。そして、この原稿の搬送動作と同期して、複写制御部１１からスキャナ５１へ原稿画像の読み取りを行わせる制御信号が出力され、スキャナ５１によって、原稿読取スリット５３と対向する位置へ搬送されてきたｉページの原稿画像が読み取られ、この原稿画像を表わす画像データが画像メモリ８によって受信されると共に記憶される。
【００３７】
次に、ステップＳ１１４において、画像メモリ８によって記憶された画像データが、ＨＤＤ９によって受信されると共にｉページの画像データとして記憶される。次に、ステップＳ１１５において、原稿載置部６１に載置されている原稿の有無を検出する図略の原稿センサにより原稿の有無が検出され、原稿が検出されなかった場合には、複写制御部１１によって、原稿読み取りが終了したと判断され（ステップＳ１１５でＹＥＳ）、画像形成処理を行うべくステップＳ１１７へ移行し、一方原稿が検出された場合（ステップＳ１１５でＮＯ）には、ステップＳ１１６へ移行し、次ページの原稿読み取りを行うべく複写制御部１１によって変数ｉに１が加算された後、再びステップＳ１１１〜Ｓ１１５の処理が実行される。
【００３８】
なお、ステップＳ１１０〜Ｓ１１６の原稿画像読み取り処理において、ステップＳ１０２でブック原稿分割コピーモードが選択されている場合には、原稿台５２には見開き状態にされた本が載置されるので、１回の原稿読み取り動作で２ページ分の原稿画像が取得される。そのため、例えば、ステップＳ１１１では、ｉページとｉ＋１ページとの両ページが指定ページ記憶部１２１に記憶されているコピー対象外指定ページ番号であった場合は原稿の読み取り動作を行わずにステップＳ１１５へ移行し、一方、ｉページ又はｉ＋１ページのいずれかのページが指定ページ記憶部１２１に記憶されているコピー対象外指定ページ番号でなかった場合は、ステップＳ１１３へ移行して見開き２ページ分のブック原稿の画像読み取りを行い、ステップＳ１１４では、例えば、その原稿画像の右半分をｉページの画像データ、左半分をｉ＋１ページの画像データとしてＨＤＤ９に記憶するようにしてもよい。
【００３９】
そして、ステップＳ１１５では、例えば次のブック原稿の載置を促す案内表示を表示器４７３に表示させる等の処理を行い、操作パネル４７を介して次のブック原稿の読み取りを要求するユーザー指示が受付けられた場合にステップＳ１１６へ移行し、ブック原稿の読み取りを終了する指示が受付けられた場合にステップＳ１１７へ移行するようにしてもよい。この場合、ステップＳ１１６では、変数ｉに２が加算される。これにより、ブック原稿分割コピーモードが選択されている場合であっても、ステップＳ１１７以降、両面から片面への分割コピーモードが選択されている場合と同様に複写処理を行うことが可能となる。
【００４０】
次に、複写制御部１１により、複写部数をダウンカウントするための変数ｎに複写部数設定値が代入され（ステップＳ１１７）、変数ｉを初期化すべく１が代入される（ステップＳ１１８）。そして、複写制御部１１により、ｉページが指定ページ記憶部１２１に記憶されているコピー対象外指定ページ番号であるか否かが判断され、指定ページである場合（ステップＳ１１９でＹＥＳ）にはｉページの画像形成を行うことなくステップＳ１２２へ移行する。
【００４１】
これにより、例えば、コピー対象外指定ページ番号として”６”が指定されていた場合には、６ページの原稿画像は複写されない。
【００４２】
一方、ｉページが指定ページ記憶部１２１に記憶されているコピー対象外指定ページ番号ではない場合（ステップＳ１１９でＮＯ）は、ステップＳ１２０へ移行する。そして、複写制御部１１により、ＨＤＤ９からｉページの画像データが読み出され、その画像データが光学ユニット４２へ出力される。
【００４３】
次に、ステップＳ１２１において、画像形成部４４により帯電させられた感光体ドラム４３に、光学ユニット４２からｉページの画像データに基づいてレーザー光が出力され、感光体ドラム４３上に静電潜像が形成され、図略の現像部によりその静電潜像がトナー像に現像される。そして、複写制御部１１からの制御信号により駆動された給紙ローラ４６２によって給紙カセット４６１から記録紙が繰り出され、さらにその記録紙が、複写制御部１１からの制御信号により駆動された用紙搬送装置４６によって、転写部４１へ搬送される。そして、転写部４１へ搬送されてきた記録紙に、感光体ドラム４３上に形成されたトナー像が転写され、さらにトナー像が転写された記録紙は、定着部４５で加熱されて定着された後、スタックトレイ３へ排出される。これにより、ｉページの画像が片面に複写された記録紙がスタックトレイ３へ排出される。
【００４４】
次に、ステップＳ１２２において、複写制御部１１により、ｉページがＨＤＤ９に記憶された画像データの最後のページであるか否かが判断され、最後のページではない場合は（ステップＳ１２２でＮＯ）、さらに次ページの画像データを画像形成すべくステップＳ１２３で変数ｉに１を加算した後、再びステップＳ１１９〜Ｓ１２２の処理を実行する。
【００４５】
一方、最後のページであった場合は（ステップＳ１２２でＹＥＳ）、複写制御部１１によって、複写部数をダウンカウントすべく変数ｎから１減算（ステップＳ１２４）された後にｎが零か否かが判断される（ステップＳ１２５）。そして、ｎが零ではなかった場合（ステップＳ１２５でＮＯ）は、さらにもう一部複写すべく再びステップＳ１１８〜Ｓ１２５の処理が実行される。一方、ｎが零であった場合（ステップＳ１２５でＹＥＳ）は、複写動作を終了する。
【００４６】
以上、ステップＳ１０４〜Ｓ１２５に示す処理により、コピー対象外の原稿として指定されたページは複写されることがなく、コピー対象外の原稿として指定されたページ以外のページはすべて複写される。その結果、例えば図５に示す両面原稿を複写する場合、６ページをコピー対象外の原稿として指定することにより、図１６に示すように、白紙原稿を除いた出力結果を得ることができる。
【００４７】
また、表示器４７３は、文字記号による表示を用いて操作を案内するので、表示器４７３として文字記号が表示可能な程度の低解像度、例えば２４０×６４画素の低コストの液晶表示器を用いることができる。
【００４８】
なお、複写機１としてデジタル方式のものを例に説明したが、複写機１は、例えば露光ランプ、ミラー、レンズ等を用いて、原稿の画像を光学的に感光体ドラム４３上に結像させることにより、感光体ドラム４３を露光させるアナログ方式の複写機であってもよい。この場合、例えば、ステップＳ１１３で原稿の画像を読み取ると同時に感光体ドラム４３を露光させ、ステップＳ１１４においてステップＳ１２１相当の画像形成動作を行わせることにより、複写機１としてアナログ方式の複写機を用いることが可能である。
【００４９】
（第２実施形態）
図１７は、本発明の第２の実施形態に係る複写機１の概略構成を示すブロック図である。図２に示す複写機１と図１７に示す複写機１とでは、下記の点で異なる。すなわち、図１７に示す複写機１は、表示器４７３の替わりに例えば３２０×２４０画素程度のより高解像度での画像表示が可能なタッチスクリーン４７８を備える。また、タッチスクリーン４７８は、分割コピーモード等の各種複写動作の設定等を入力するための操作キーを表示可能にされ、この操作キーが押圧されたことを検出することにより、ユーザーからの種々の指示入力を受付けて制御部１０へ送信する。
【００５０】
また、ページ指定受付部１２ａは、ユーザに対して複写しないページの指示入力操作を案内するために、この指示入力されたページの原稿画像をタッチスクリーン４７８に表示させる選択表示制御部１２２と、選択表示制御部１２２によってタッチスクリーン４７８に表示された原稿画像を、複写を行わない原稿として選択する旨のユーザーの操作指示を受付ける画像選択部１２３とを備える。
【００５１】
その他の構成は図２に示す複写機１とほぼ同様であるので、以下、図１７に示す複写機１の複写動作について説明する。図１８は、図１７に示す複写機１の動作の一例を説明するためのフローチャートである。原稿載置部６１には、上述の第２実施形態の場合と同様に、図５に示す両面原稿が載置されているものとする。
【００５２】
まず、タッチスクリーン４７８に図１９に示す初期画面が表示された状態で、ユーザーにより機能キー５１１が押圧されたことが制御部１０によって受付けられると、制御部１０からタッチスクリーン４７８へモード選択画面を表示させるためのデータが出力され、タッチスクリーン４７８によって、図２０に示すモード選択画面が表示され、選択可能なモードの一覧リストが表示される。この場合、機能キー５１１は、白黒反転した白抜き文字で表示され、機能キー５１１が選択されたことが判るようにされている。
【００５３】
次に、分割コピーモードを設定するための分割モードキー５１２がユーザーにより押圧されたことが制御部１０によって受付けられると、分割コピーモードが選択されると共にステップＳ２０２へ移行する。
【００５４】
次に、ステップＳ２０２において、制御部１０からタッチスクリーン４７８へ原稿の種類を選択する画面を表示させるためのデータが出力され、タッチスクリーン４７８によって、図２１に示す原稿の種類選択画面が表示され、両面原稿と、ブック原稿とが選択可能にされる。そして、両面原稿を選択するための両面原稿キー５１３がユーザーにより押圧されたことが制御部１０によって受付けられると、両面から片面への分割コピーモードが選択されると共にステップＳ２０３へ移行する。
【００５５】
次に、ステップＳ２０３において、制御部１０からタッチスクリーン４７８へ原稿編集の設定画面を表示させるためのデータが出力され、タッチスクリーン４７８によって、図２２に示す原稿編集設定画面が表示される。そして、原稿編集をしない旨を指示するための”しないキー５１４”がユーザーにより押圧されたことが制御部１０によって受付けられると、原稿編集をしない旨の原稿編集設定が制御部１０によって記憶され、一方、原稿編集をする旨を指示するための”するキー５１５”がユーザーにより押圧されたことが制御部１０によって受付けられると、原稿編集をする旨の原稿編集設定が制御部１０によって記憶される。
【００５６】
次に、ステップＳ２０４において、制御部１０からタッチスクリーン４７８へ、ユーザーに対してスタートキー４７１の押下を促す案内画面を表示させるためのデータが出力され、タッチスクリーン４７８によって、図２３に示す画面が表示される。そして、ユーザーによりスタートキー４７１が押下されたことが制御部１０によって受付けられると、原稿画像の読み取りを行うべく、複写制御部１１により、ページをカウントするための変数ｉに１が代入され（ステップＳ２０５）、複写制御部１１から原稿搬送機構６３へ原稿を１ページ搬送させるための制御信号が出力され、原稿搬送機構６３によって原稿載置部６１から１枚ずつ繰り出された原稿が原稿読取スリット５３と対向する位置へ搬送されると同期して、複写制御部１１からスキャナ５１へ原稿画像の読み取りを行わせる制御信号が出力され、スキャナ５１によって原稿読取スリット５３へ搬送されてきたｉページの原稿画像が読み取られ、この原稿画像を表わす画像データが画像メモリ８によって受信されると共に記憶される（ステップＳ２０６）。
【００５７】
次に、ステップＳ２０７において、画像メモリ８によって記憶された画像データが、複写制御部１１によって、ＨＤＤ９にｉページの画像データとして書込まれる。次に、ステップＳ２０８において、原稿載置部６１に載置されている原稿の有無を検出する図略の原稿センサにより原稿の有無が検出され、原稿が検出されなかった場合には、複写制御部１１によって、原稿読み取りが終了したと判断され（ステップＳ２０８でＹＥＳ）、複写を除外するページの指定を行うべくステップＳ２１０へ移行し、一方原稿が検出された場合（ステップＳ２０８でＮＯ）には、ステップＳ２０９へ移行し、次ページの原稿読み取りを行うべく複写制御部１１によって変数ｉに１が加算された後、再びステップＳ２０６〜Ｓ２０８の処理が実行される。
【００５８】
次に、ステップＳ２１０において、選択表示制御部１２２からタッチスクリーン４７８へ、ＨＤＤ９に記憶された原稿画像データを選択可能にするための画面を表示させるデータが出力され、タッチスクリーン４７８によって、図２４に示す画面が表示される。図２４に示す画面には、原稿のページ番号を示すページ番号キー５１６が表示され、初期状態で選択されている１ページのページ番号キー５１６が白抜き文字で表示されている。
【００５９】
また、選択表示制御部１２２によって、白抜き文字で表示されているページ番号キー５１６のページ番号が受付けられると共に、ＨＤＤ９からそのページ番号に対応する画像データが読み出され、さらにその画像データが、選択表示制御部１２２からタッチスクリーン４７８へ送信される。そして、その画像データが、タッチスクリーン４７８によって原稿画像表示ウィンドウ５１８に縮小表示される。したがって、白抜き文字で表示されているページ番号キー５１６のページ番号が”１”である場合、１ページの原稿画像”Ａ”が原稿画像表示ウィンドウ５１８に縮小表示される。
【００６０】
また、原稿画像表示ウィンドウ５１８下部のページウィンドウ５１７には、合計１０ページの原稿のうちの１ページの原稿画像が原稿画像表示ウィンドウ５１８に表示されていることを示す”１／１０”の表示がされている。さらに、原稿画像表示ウィンドウ５１８に表示されているページをコピー対象に指定するための”コピーするキー５１９”と、そのページをコピー対象外に指定するための”コピーしないキー５２０”とが画面下部中央に表示されている。この場合、初期状態ではすべての原稿画像ページがコピー対象に指定されているため、”コピーするキー５１９”が白抜き文字で表示されている。
【００６１】
また、図２４に示す画面で、例えば６ページのページ番号キー５１６が押圧されたことが選択表示制御部１２２によって受付けられると、６ページのページ番号キー５１６が白抜き文字で表示されると共に、６ページの原稿画像、すなわち白紙が原稿画像表示ウィンドウ５１８に表示される（図２５参照）。これにより、ユーザーは、６ページの原稿画像が白紙であることを確認することができる。
【００６２】
次に、ステップＳ２１１において、例えば６ページが原稿画像表示ウィンドウ５１８に表示された状態で”コピーしないキー５２０”がユーザーにより押圧されたことが画像選択部１２３によって受付けられると、”コピーしないキー５２０”が白抜き文字で表示され（図２６参照）、さらに６ページがコピー対象外指定ページ番号として、指定ページ記憶部１２１に記憶される。そして、ユーザーにより設定終了キー５２１が押圧されたことが画像選択部１２３によって受付けられると、コピー対象外指定ページの設定を終了して画像形成処理を行うべくステップＳ２１２へ移行する。
【００６３】
次に、ステップＳ２１２において、複写制御部１１からタッチスクリーン４７８へ複写部数の設定画面を表示させるためのデータが出力され、タッチスクリーン４７８に図２７に示す画面が表示される。そして、テンキー４７２が押下されることにより、そのテンキー４７２で示される数字が複写部数設定値として複写制御部１１によって受付けられると共に記憶される。そして、スタートキー４７１が押下されたことが複写制御部１１によって受付けられることにより、画像形成動作が開始される。画像形成動作は、図４に示すステップＳ１１７〜Ｓ１２５と同様であるので、以下説明を省略する。
【００６４】
以上、ステップＳ２０１〜Ｓ２１２、及びステップＳ１１７〜Ｓ１２５に示す処理により、コピー対象外の原稿として指定されたページは複写されることがなく、コピー対象外の原稿として指定されたページ以外のページはすべて複写される。その結果、図１６に示すように、白紙原稿を除いた出力結果を得ることができる。
【００６５】
また、ユーザーは、タッチスクリーン４７８を用いて指定したページが、意図した通りのページであるか否かを原稿画像表示ウィンドウ５１８に表示された画像で確認することができるので、複写を除外するページの指定を誤ることが抑制できる。
【００６６】
また、原稿画像表示ウィンドウ５１８には、ページ番号キー５１６を用いて選択されたページの原稿画像のみが表示されるので、タッチスクリーン４７８上の大きな面積を原稿画像表示ウィンドウ５１８に占有させることが可能となり、したがって、指定されたページの画像を大きく表示することができ、視認性が向上する。
【００６７】
なお、例えば図２４に示したように、ページ番号キー５１６を用いて選択されたページの原稿画像のみを原稿画像表示ウィンドウ５１８に表示させる例を示したが、例えば、各ページの原稿画像を小さく縮小表示する等の表示方法により、複数の原稿画像、例えば原稿の全ページ、あるいは原稿の一部分のページを一覧にしてタッチスクリーン４７８に表示させる構成としてもよい。
【００６８】
【発明の効果】
請求項１に記載の発明によれば、ページ指定指示により指定されたページ以外の原稿が複写されるので、ユーザーが意図した通りに複写不要なページを除外して原稿を複写することができる。
【００６９】
請求項２に記載の発明によれば、ユーザーは、原稿から取得した画像に基づいて、複写を除外するページを指定することができるので、複写を除外するページを誤って指定することを抑制できる。
【００７０】
請求項３に記載の発明によれば、ユーザーは、表示手段に一覧にして画像表示された原稿の画像を見ながら複写を除外するページを指定することができるので、ユーザーが複写を除外するページを誤って指定することが抑制できる。
【００７１】
請求項４に記載の発明によれば、表示手段は、指定されたページの画像を大きく表示することができるので、表示手段として解像度の低い表示装置を用いることができる。
【図面の簡単な説明】
【図１】本発明の一実施形態に係る画像形成装置の一例である複写機１の内部構成を概略的に示す断面図である。
【図２】本発明の第１の実施形態に係る複写機１の概略構成の一例を示すブロック図である。
【図３】図２に示す複写機１の動作の一例を説明するためのフローチャートである。
【図４】本発明の一実施形態に係る複写機１の動作の一例を説明するためのフローチャートである。
【図５】原稿載置部６１に載置される両面原稿の一例を示す図である。
【図６】図２に示す複写機１の操作を案内するための表示画面の一例を示す図である。
【図７】図２に示す複写機１の操作を案内するための表示画面の一例を示す図である。
【図８】図２に示す複写機１の操作を案内するための表示画面の一例を示す図である。
【図９】図２に示す複写機１の操作を案内するための表示画面の一例を示す図である。
【図１０】図２に示す複写機１の操作を案内するための表示画面の一例を示す図である。
【図１１】図２に示す複写機１の操作を案内するための表示画面の一例を示す図である。
【図１２】図２に示す複写機１の操作を案内するための表示画面の一例を示す図である。
【図１３】図２に示す複写機１の操作を案内するための表示画面の一例を示す図である。
【図１４】図２に示す複写機１の操作を案内するための表示画面の一例を示す図である。
【図１５】図２に示す複写機１の操作を案内するための表示画面の一例を示す図である。
【図１６】図１に示す複写機１を用いて複写された記録紙の一例を示す図である。
【図１７】本発明の第２の実施形態に係る複写機１の概略構成の一例を示すブロック図である。
【図１８】図１７に示す複写機１の動作の一例を説明するためのフローチャートである。
【図１９】図１７に示す複写機１の操作を案内するための表示画面の一例を示す図である。
【図２０】図１７に示す複写機１の操作を案内するための表示画面の一例を示す図である。
【図２１】図１７に示す複写機１の操作を案内するための表示画面の一例を示す図である。
【図２２】図１７に示す複写機１の操作を案内するための表示画面の一例を示す図である。
【図２３】図１７に示す複写機１の操作を案内するための表示画面の一例を示す図である。
【図２４】図１７に示す複写機１の操作を案内するための表示画面の一例を示す図である。
【図２５】図１７に示す複写機１の操作を案内するための表示画面の一例を示す図である。
【図２６】図１７に示す複写機１の操作を案内するための表示画面の一例を示す図である。
【図２７】図１７に示す複写機１の操作を案内するための表示画面の一例を示す図である。
【符号の説明】
１            複写機
２            本体部
５            原稿読取部
８            画像メモリ
９            ＨＤＤ
１０        制御部
１１        複写制御部（複写手段）
１２，１２ａ        ページ指定受付部
４０        記録部
４７        操作パネル（表示手段、操作手段）
１２１    指定ページ記憶部
１２２    選択表示制御部
１２３    画像選択部
４７３    表示器
４７８    タッチスクリーン
５１８    原稿画像表示ウィンドウ
【図１】
2004186784.tif 000003
【図２】
2004186784.tif 000004
【図３】
2004186784.tif 000005
【図４】
2004186784.tif 000006
【図５】
2004186784.tif 000007
【図６】
2004186784.tif 000008
【図７】
2004186784.tif 000009
【図８】
2004186784.tif 000010
【図９】
2004186784.tif 000011
【図１０】
2004186784.tif 000012
【図１１】
2004186784.tif 000013
【図１２】
2004186784.tif 000014
【図１３】
2004186784.tif 000015
【図１４】
2004186784.tif 000016
【図１５】
2004186784.tif 000017
【図１６】
2004186784.tif 000018
【図１７】
2004186784.tif 000019
【図１８】
2004186784.tif 000020
【図１９】
2004186784.tif 000021
【図２０】
2004186784.tif 000022
【図２１】
2004186784.tif 000023
【図２２】
2004186784.tif 000024
【図２３】
2004186784.tif 000025
【図２４】
2004186784.tif 000026
【図２５】
2004186784.tif 000027
【図２６】
2004186784.tif 000028
【図２７】
2004186784.tif 000029